(57)【要約】【課題】品質の高い繭を効率よく回収可能なセリシン繭層回収装置を提供すること。【解決手段】セリシン繭層回収装置１は、内部に蚕が入っている繭に応力を加えて繭層を破壊する繭層破壊機構２と、繭層が破壊された前記繭に振動を加えて繭層から蚕を露出させる振動機構３と、繭層から蚕が露出した前記繭に気流を吹き付けて繭層と蚕とを分離する分離機構４とを有している。繭としては、蚕が繭層を形成した後、繭層内で蚕が化蛹する前の繭を冷蔵保存あるいは冷凍保存して繭層を硬化させたセリシン繭を破壊機構２に供給する。【選択図】    図１
0003132883.tif 000002
【実用新案登録請求の範囲】
【請求項１】
フィブロインに比してセリシンを多量に含むセリシン繭から繭層と蚕とを分離して繭層を回収するためのセリシン繭層回収装置であって、
内部に蚕が入っている繭に応力を加えて繭層を破壊する繭層破壊機構と、
該繭層破壊機構により繭層が破壊された繭に振動を加えて繭層から蚕を露出させる振動機構と、
該振動機構により蚕が露出した繭を気流を利用して繭層と蚕とを分離する分離機構と
を有することを特徴とするセリシン繭層回収装置。
【請求項２】
前記繭層破壊機構は、相対向する一対のローラベルトを備え、当該一対のローラベルトの間に供給された繭に対して、前記一対のローラベルトの相対移動により応力を加えて繭層を破壊することを特徴とする請求項１に記載のセリシン繭層回収装置。
【請求項３】
蚕が繭層を形成した後、繭層内で蚕が化蛹する前の繭を冷蔵保存あるいは冷凍保存して繭層を硬化させた繭が前記破壊機構に供給されることを特徴とする請求項１または２に記載のセリシン繭層回収装置。
【請求項４】
蚕が繭層を形成した後、繭層内で蚕が化蛹する前の繭を冷蔵保存あるいは冷凍保存する低温乾燥機構を備え、該低温乾燥機構から前記破壊機構に繭が自動的に供給されることを特徴とする請求項１または２に記載のセリシン繭層回収装置。
【請求項５】
さらに、前記分離機構によって蚕と分離された前記繭層を粉砕する粉砕機構を備えていることを特徴とする請求項１乃至４の何れか一項に記載のセリシン繭層回収装置。
【考案の詳細な説明】
【技術分野】
【０００１】
本考案は、フィブロインに比してセリシンを多量に含むセリシン繭から繭層と蚕とを分離して繭層を回収するためのセリシン繭層回収装置に関するものである。
【背景技術】
【０００２】
従来、生糸を生産するにあたっては、蚕を育成して繭を形成させた後、蚕を繭内で化蛹させ、しかる後に繰糸する。また、繭から繭層と蚕とを分離して繭層を回収する場合があり、この場合、作業者が繭層を切除して蛹を分離すれば、繭層を回収することができる。
【０００３】
近年、蚕については、セリシンを特異的に分泌するセリシン蚕や超強度糸蚕など、医療や各種化学分野で注目されている。例えば、繭に含まれるセリシンは保水性や抗酸化性などの機能を有することから、化粧品その他の分野での利用が提案されている。しかしながら、通常の蚕が形成する繭にはフィブロインとセリシンが約４対１の比で含まれ、セリシンの含有量が少ないため、セリシンの回収効率が低い。また、セリシンは、水溶性であるため、繰糸や生糸精錬の過程で流失してしまい、かつ、アルカリ剤などで回収しようとすると変性してしまうという問題点がある。
【０００４】
そこで、セリシン含有率が９８％以上である繭(セリシン繭)を生産する品種の蚕が開発されている(特許文献１参照)。
【特許文献１】特許第３３７４１７７号公報
【考案の開示】
【考案が解決しようとする課題】
【０００５】
しかしながら、繭から繭層と蚕とを分離して繭層を回収するにあたって、作業者が繭層を切除して繭層内から蚕を取り出すという方法では、生産性が低いという問題点がある。特にセリシン繭の場合には、セリシンが多い分、繊維を構成するフィブロインが少ないので、繭層を切除する際に繭がつぶれて蚕を傷つけやすく、蚕の体液で繭層を汚してしまうという問題点がある。また、化蛹後に繭を回収する方法では、脱皮時に蚕が出血して繭に血が付着しやすく、これがメラニン化することによって汚れが発生すると、繭層の品質が低下してしまう。また、化蛹時期は、繭内で蚕が病死しやすい時期であり、繭内で病死した蚕の体液が繭を汚してしまうこともある。さらに、繭内には蚕の脱皮殻が残存するため、脱皮殻を除去するのに多大な手間がかかる。
【０００６】
以上の問題に鑑みて、本考案の課題は、品質の高い繭層を効率よく回収可能なセリシン繭層回収装置を提供することにある。
【課題を解決するための手段】
【０００７】
上記課題を解決するために、本考案では、フィブロインに比してセリシンを多量に含むセリシン繭から繭層と蚕とを分離して繭層を回収するためのセリシン繭層回収装置であって、内部に蚕が入っている繭に応力を加えて繭層を破壊する繭層破壊機構と、該繭層破壊機構により繭層が破壊された繭に振動を加えて繭層から蚕を露出させる振動機構と、該振動機構により蚕が露出した繭を気流を利用して繭層と蚕とを分離する分離機構とを有することを特徴とする。
【０００８】
本考案では、繭層破壊機構により繭層を破壊した後、振動機構によって、繭に振動を加えて繭層から蚕を露出させた後、分離機構によって、蚕が露出した繭を気流を利用して繭層と蚕とを分離する。このため、繭から繭層と蚕とを分離して繭層を回収する作業を自動化できるので、繭層を効率よく回収することができる。また、セリシン繭のように、繭がつぶれて蚕を傷つけやすい場合でも、繭層破壊機構が繭層に加える応力を調整するだけで、繭層のみを破壊できる。従って、蚕の体液で繭層を汚してしまうなどの不具合が発生しないので、品質の高い繭層を回収することができる。
【０００９】
本考案において、前記分離機構は、繭層から蚕を露出させた繭が落下している途中で側方から気流を吹き付けて繭層と蚕とを分離することが好ましい。このように構成すると、繭層と蚕の比重が異なるので、繭層と蚕が異なる位置に落下するので、繭層と蚕とを効率よく分離することができる。
【００１０】
本考案において、前記分離機構としては、繭層から蚕を露出させた繭を吸引して繭層と蚕とを分離する構成を採用してもよい。
【００１１】
本考案において、前記繭層破壊機構は、相対向する一対のローラベルトを備え、当該一対のローラベルトの間に供給された繭に対して、前記一対のローラベルトの相対移動により応力を加えて繭層を破壊することが好ましい。このように構成すると、繭層破壊機構をそのまま、振動機構に繭層と蚕とを搬送する搬送機構として利用できる。また、繭層のみを破壊できるため、蚕の体液で繭層を汚してしまうなどの不具合が発生しない。
【００１２】
本考案において、蚕が繭層を形成した後、繭層内で蚕が化蛹する前の繭を冷蔵保存あるいは冷凍保存して繭層を硬化させた繭が前記破壊機構に供給されることが好ましい。このように構成すると、繭層内で蚕がミイラ化あるいは固まっているので、繭層を破壊した際、蚕の体液で繭層を汚してしまうなどの不具合が発生しない。この場合、セリシン繭層回収装置には、蚕が繭層を形成した後、繭層内で蚕が化蛹する前の繭を冷蔵保存あるいは冷凍保存する低温乾燥機構を設け、該低温乾燥機構から前記破壊機構に繭が自動的に供給されることが好ましい。
【００１３】
本考案においては、さらに、前記分離機構によって蚕と分離された繭層を粉砕する粉砕機構を備えていることが好ましい。
【考案の効果】
【００１４】
本考案では、繭から繭層と蚕とを分離して繭層を回収する作業を自動化できるので、繭層を効率よく回収することができる。特にセリシン繭のように、繭がつぶれて蚕を傷つけやすい場合でも、繭層のみを破壊でき、蚕の体液で繭層を汚してしまうなどの不具合が発生しないので、品質の高い繭層を回収することができる。
【考案を実施するための最良の形態】
【００１５】
[実施の形態１]
図１は、本考案の実施の形態に係るセリシン繭層回収装置の構成図である。
【００１６】
以下の実施の形態で用いた蚕は、特許第３３７４１７７号で開示されているように、セリシンのみを合成する突然変異種の「裸蛹系統」と、普通品種の「強健・多糸量系統」を交雑させることにより得られる「セリシンホープ」と呼ばれる品種あるいはそのハイブリッド品種であり、このような蚕が形成する繭はセリシン含有率が約９８％である。
【００１７】
本形態における繭(セリシン繭)の回収方法では、まず、蚕を生育させ、蚕(５令幼虫)が、蔟内で吐糸を完了した後(営繭完了後)、かつ、化蛹する前の時期、すなわち常温(２５℃)で上蔟後３日目に、蔟に営繭させたセリシン繭を収繭する。この収繭工程においては、蚕の営繭完了後に収繭を行うため、セリシン繭の生産量を損なうことが無い。また、上蔟後３日目であるため、蚕は化蛹を開始していない。
【００１８】
次に、蔟から取り出した繭を冷蔵庫や冷蔵室で直ちに冷蔵保存する。その際の温度は例えば、４℃以下である。このような冷蔵保存工程により、繭内の蚕は幼虫体のまま生長が停止し、その後、徐々に乾燥してミイラ状となる。これにより、繭内での蚕の脱皮および化蛹が阻止される。
【００１９】
次に、所定の時期に繭を冷蔵庫や冷蔵室から取り出した後、図１に示すセリシン繭層回収装置に繭を供給することにより、ミイラ化した蚕と繭層とを分離し、繭層を回収する。
【００２０】
図１において、本考案を適用したセリシン繭層回収装置１は、内部に蚕が入っている繭に応力を加えて繭層を破壊する繭層破壊機構２と、繭層が破壊された繭に振動を加えて繭層から蚕を露出させる振動機構３と、繭層から蚕が露出した繭を気流を利用して繭層と蚕とを分離する分離機構４とを有している。本形態において、分離機構４は、繭層から蚕が露出した繭に気流を吹き付けて繭層と蚕とを分離する。
【００２１】
繭層破壊機構２は、相対向する一対のローラベルト２１、２２を備え、一対のローラベルト２１、２２の間に供給された繭を一対のローラベルト２１、２２を相対移動させることにより繭に応力を加えて繭層を破壊した後、振動機構３の振動台３１上に繭を供給する。分離機構４は、振動台３１から、繭層から蚕を露出させた繭が落下している途中で送風機４１から気流を吹き付けて繭層と蚕とを分離する。ここで、繭が落下している下方位置には、上部がホッパー状の回収台５が配置されており、気流によって繭層のみが吹き飛ばされて蚕のみがそのまま落下するので、回収台５の蚕回収口５１を通して蚕を回収できる一方、回収台５の側方に位置する繭層回収口５２で繭層のみが回収される。
【００２２】
このように、本形態のセリシン繭層回収装置１では、繭層の破壊、繭層からの蚕の露出、および繭層と蚕との分離を自動的に行うので、生産性が高い。また、一対のローラベルト２１、２２の間で繭を擦って繭層の破壊を行うため、繭がつぶれて蚕を傷つけるということがないので、蚕の体液で繭層を汚すことがない。しかも、繭層と蚕との分離を気流によって行うため、蚕を傷つけることがないので、蚕の体液で繭層を汚すことがない。それ故、品質の高い繭層を効率よく回収することができる。
【００２３】
また、繭層破壊機構２では、相対向する一対のローラベルト２１、２２を用いたので、繭層破壊機構２をそのまま、振動機構３に繭層と蚕とを搬送する搬送機構として利用できる。また、ローラベルト２１、２２によれば、繭層のみを破壊できるため、蚕の体液で繭層を汚してしまうなどの不具合が発生しない。
【００２４】
また、蚕の営繭後、かつ、化蛹前に収繭を行い、収繭した繭を直ちに冷蔵保存するので、繭内での蚕の脱皮は阻止される。このため、繭内には脱皮殻が存在しない。従って、繭内の脱皮殻を除去する必要がないので、繭層の回収を効率よく行うことができる。
【００２５】
また、本形態では、冷蔵保存工程により繭内での蚕の脱皮が阻止されるため、脱皮に伴う蚕の出血により繭を汚してしまうことが無い。また、冷蔵保存工程により繭内の蚕がミイラ化するため、繭内で病死した蚕の体液で繭が汚れるということも無い。従って、汚れの付着していない高品質の繭層を回収することができる。
【００２６】
さらに、本形態の方法で繭を回収した様子を図２に示すように、冷蔵保存工程により繭内の蚕は幼虫体のままミイラ化するため、その表皮は丈夫である。よって、繭から蚕を取り出す際、蚕に接触しても、蚕から体液等が漏れてしまうということが無い。また、冷蔵保存工程により、繭層中の水分が少なくなっているため、繭層を比較的容易に破ることができる。それ故、高品質の繭層を効率よく回収することができる。特にセリシン繭の場合には、セリシンが多い分、繊維を構成するフィブロインが少ないので、繭層を切除する際に繭がつぶれて蛹を傷つけ、蚕の体液で繭層を汚しやすいが、本形態によれば、かかる問題を確実に解消することができる。
【００２７】
さらにまた、本形態では、冷蔵保存工程により、繭内の蚕は生長が停止している。よって、収繭した繭を冷蔵保存し続けても、繭内で蚕が脱皮、化蛹する心配が無く、収繭した当時の高品質な状態を長期間、維持できる。また、繭と蚕とを分離する際には、冷蔵保存されている繭を所定の数だけを取り出せばよいため、分離、回収工程の時期を分散させることができ、かつ、分離、回収工程の自動化も可能である。
【００２８】
［実施の形態２]
本形態における繭(セリシン繭)の回収方法でも、実施の形態１と同様、蚕(５令幼虫)が、蔟内で吐糸を完了した後(営繭完了後)、かつ、化蛹する前にあたる時期、すなわち常温(２５℃)で上蔟後３日目において、蔟に営繭させたセリシン繭を収繭する。
【００２９】
次に、蔟から取り出した繭を直ちに冷凍保存する。その際の温度は例えば、０℃以下である。この冷凍保存工程により繭内の蚕は幼虫体のまま生長が停止し、その後、凍結する。これにより、繭内での蚕の脱皮および化蛹は阻止される。
【００３０】
次に、繭層の内部で蚕が凍結した繭を、図１を参照して説明したセリシン繭層回収装置１に供給し、繭層と蚕とを分離することにより、繭層(セリシン繭)を回収する。
【００３１】
このように、本形態でも、図１に示すセリシン繭層回収装置１において、繭層の破壊、繭層からの蚕の露出、および繭層と蚕との分離を自動的に行うので、生産性が高い。また、一対のローラベルトの間で繭を擦って繭層の破壊を行うため、繭がつぶれて蚕を傷つけるということがないので、蚕の体液で繭層を汚すことがない。しかも、繭層と蚕との分離を気流によって行うため、蚕を傷つけることがないので、蚕の体液で繭層を汚すことがない。それ故、品質の高い繭層を効率よく回収することができる。
【００３２】
また、本形態では、蚕の営繭後、かつ、化蛹前に収繭を行い、収繭した繭を直ちに冷凍保存する。これにより、繭内での蚕の脱皮は阻止される。このため、図３の左側に本形態の方法で繭を回収した様子を示すように、繭内には脱皮殻が存在しない。これに対して、図３の右側に従来の方法で繭を回収した様子を示すように、繭内には脱皮殻が存在するため、それを除去する作業を必要とする。従って、本形態の繭の回収方法によれば、繭内の脱皮殻を除去する工程を行う必要がないため、繭の回収を効率よく行うことができる。
【００３３】
また、本形態では、冷凍保存を採用したため、繭層は若干脆くなっているので、容易に繭層を破ることができるなど、実施の形態１と同様な効果を奏する。
【００３４】
［実施の形態３］
図４は、本考案の別の実施の形態に係るセリシン繭層回収装置の構成図である。図４において、本考案を適用したセリシン繭層回収装置１は、内部に蚕が入っている繭に応力を加えて繭層を破壊する繭層破壊機構２と、繭層が破壊された繭に振動を加えて繭層から蚕を露出させる振動機構３Ａと、繭層から蚕が露出した繭を気流を利用して繭層と蚕とを分離する分離機構４Ａとを有している。本形態において、分離機構４Ａは、繭層から蚕が露出した繭を吸引した際、繭層のみが吸引されることにより、繭層と蚕とを分離する。
【００３５】
さらに、本形態のセリシン繭層回収装置１は、蚕が繭層を形成した後、繭層内で蚕が化蛹する前の繭を冷蔵保存あるいは冷凍保存する低温乾燥装置６を備えており、低温乾燥装置６から繭層破壊機構２に向けては、繭層を硬化させた繭が自重により落下し、繭層破壊機構２に自動的に供給される。
【００３６】
繭層破壊機構２は、図１を参照して説明した形態と同様、相対向する一対のローラベルト２１、２２を備え、一対のローラベルト２１、２２の間に供給された繭を一対のローラベルト２１、２２を相対移動させることにより繭に応力を加えて繭層を破壊した後、振動機構３Ａに供給する。
【００３７】
本形態において、振動機構３Ａは、振動機構付きベルト機構により構成されている。また、本形態において、分離機構４Ａは、振動機構３Ａを構成する振動機構付きベルト機構により搬送されてくる繭を吸引し、比重の小さな繭層のみが吸引されることにより、繭層と蚕とを分離する。そして、振動機構３Ａを構成する振動機構付きベルト機構上で分離機構４Ａにより繭層が分離された蚕は、振動機構付きベルト機構によって、蚕回収部５Ａにより回収される。
【００３８】
このように、本形態のセリシン繭層回収装置１では、繭層の破壊、繭層からの蚕の露出、および繭層と蚕との分離を自動的に行うので、生産性が高い。また、一対のローラベルト２１、２２の間で繭を擦って繭層の破壊を行うため、繭がつぶれて蚕を傷つけるということがないので、蚕の体液で繭層を汚すことがない。しかも、繭層と蚕との分離を気流によって行うため、蚕を傷つけることがないので、蚕の体液で繭層を汚すことがない。それ故、品質の高い繭層を効率よく回収することができる。
【００３９】
また、繭層破壊機構２では、相対向する一対のローラベルト２１、２２を用いたので、繭層破壊機構２をそのまま、振動機構３に繭層と蚕とを搬送する搬送機構として利用できる。また、ローラベルト２１、２２によれば、繭層のみを破壊できるため、蚕の体液で繭層を汚してしまうなどの不具合が発生しない。
【００４０】
また、本形態では、低温乾燥装置６において繭内での蚕の脱皮が阻止されるため、脱皮に伴う蚕の出血により繭を汚してしまうことが無い。また、低温乾燥装置６において繭内の蚕が乾燥するため、繭内で病死した蚕の体液で繭が汚れるということも無い。従って、汚れの付着していない高品質の繭層を回収することができる。
【００４１】
さらに、振動機構３Ａを構成する振動機構付きベルト機構により、繭や蚕の搬送を行うため、装置構成の簡素化を図ることができる。
【００４２】
［実施の形態４］
図５は、本考案のさらに別の実施の形態に係るセリシン繭層回収装置の構成図である。図５において、本考案を適用したセリシン繭層回収装置１は、内部に蚕が入っている繭に応力を加えて繭層を破壊する繭層破壊機構２と、繭層が破壊された繭を振動台３１によって振動させて繭層から蚕を露出させる振動機構３と、繭層から蚕が露出した繭を気流を利用して繭層と蚕とを分離する分離機構４Ｂとを有している。また、セリシン繭層回収装置１は、蚕が繭層を形成した後、繭層内で蚕が化蛹する前の繭を冷蔵保存あるいは冷凍保存する低温乾燥装置６を備えており、低温乾燥装置６から繭層破壊機構２に向けては、繭層を硬化させた繭が自重により落下し、繭層破壊機構２に自動的に供給される。
【００４３】
繭層破壊機構２は、実施の形態１〜３と同様、相対向する一対のローラベルト２１、２２を備え、一対のローラベルト２１、２２の間に供給された繭を一対のローラベルト２１、２２を相対移動させることにより繭に応力を加えて繭層を破壊する。分離機構４Ｂは、振動機構３の振動台３１から、繭層から蚕を露出させた繭が落下している途中で送風機４２から気流を吹き付けて繭層と蚕とを分離する。ここで、繭が落下している下方位置には、上部がホッパー状の回収台５が配置されており、気流によって繭層のみが吹き飛ばされて蚕のみがそのまま落下する。従って、回収台５の蚕回収口５１を通して蚕を回収できる一方、回収台５の側方に繭層のみが供給される。
【００４４】
本形態のセリシン繭層回収装置１は、回収台５の側方に粉砕機構７を有している。粉砕機構７は、繭層を受け入れる容器７１と、この容器７１内で高速回転するインペラ７２とを備えており、容器７１内に供給された繭層は、インペラ７２によって粉砕される。そして、粉砕機構７により粉体化された繭層は、自動あるいは手動により、回収容器８に回収される。
【００４５】
このように、本形態のセリシン繭層回収装置１では、繭層の破壊、繭層からの蚕の露出、繭層と蚕との分離、さらには繭層の粉体化を自動的に行うので、生産性が高い。
【図面の簡単な説明】
【００４６】
【図１】本考案の実施の形態に係るセリシン繭層回収装置の構成図である。
【図２】本考案の実施の形態１に係る方法で繭を回収した様子を示す図面代用写真である。
【図３】本考案の実施の形態２に係る方法、および従来の方法で繭を回収した様子を示す図面代用写真である。
【図４】本考案の別の実施の形態に係るセリシン繭層回収装置の構成図である。
【図５】本考案のさらに別の実施の形態に係るセリシン繭層回収装置の構成図である。
【符号の説明】
【００４７】
１・・セリシン繭層回収装置
２・・繭層破壊機構
３、３Ａ・・振動機構
４、４Ａ、４Ｂ・・分離機構
６・・低温乾燥装置
７・・粉砕機構
２１、２２・・ローラベルト
３１・・振動台
４１、４２・・送風機
【図１】
0003132883.tif 000003
【図４】
0003132883.tif 000004
【図５】
0003132883.tif 000005
【図２】
0003132883.tif 000006
【図３】
0003132883.tif 000007